(57)【要約】【課題】従来技術によれば、図４に示すように、マウスポインター移動操作と上下・左右のウインドウスクロールボタン操作を別の機構で行わなければならず操作が複雑であった。また、その操作機能を持つハードウェアが必要とされていた。【解決手段】図１に示す通り、従来のパソコンインターフェイスによるマウスポインター移動操作を、スイッチなどの切り替え操作により、マウスポインター移動動作から、マウスポインターの移動を固定し上下・左右のウインドウスクロール動作へ切り替え、切り替え反転時は、上下・左右のウインドウスクロール動作から、マウスポインター移動動作へ切り替える事で操作性を向上させ、従来の上下・左右のウインドウスクロール動作信号機構を廃止し、マウスポインター移動信号機構と上下・左右のウインドウスクロール信号機構を同一の機構で操作する事で機構を簡素化させる。【選択図】図１
2005339474.tif 000002
【特許請求の範囲】
【請求項１】
従来のパソコンインターフェイスによるマウスポインター移動操作を、ハード的なスイッチまたはソフト的な画面上のボタンなどの切り替え操作により、マウスポインター移動動作から、マウスポインターの移動を固定し上下・左右のウインドウスクロール動作へ切り替え、切り替え反転時には、上下・左右のウインドウスクロール動作から、マウスポインター移動動作へ切り替える事で操作性を向上させ、従来の上下・左右のウインドウスクロール動作信号機構を廃止し、マウスポインター移動動作信号機構と上下・左右のウインドウスクロール動作信号機構を同一の機構で操作する事で機構を簡素化させる事を特徴とするパソコンインターフェイス。
【請求項２】
マウスポインター移動動作と上下・左右のウインドウスクロール動作を切り替えた際に、上下・左右のウインドウスクロール動作の最良の動作スピードを設定するための動作信号の変速機能を、ハード的な機構またはソフト的な機能によりインターフェイスまたはパソコンに儲けた事を特徴とする請求項１記載のパソコンインターフェイス。
【発明の詳細な説明】
【技術分野】
【０００１】
この発明は、パソコンの入力インターフェイスの操作性の向上と機構の簡素化に関する。
【背景技術】
【０００２】
従来のマウス等のインターフェイスは、図４に示すように、上下・左右のウインドウスクロール操作に対し専用の操作機構を儲け操作にあたっていた。
【発明の開示】
【発明が解決しようとする課題】
【０００３】
しかしながら、以上の従来技術によれば、マウスポインター移動操作と上下・左右のウインドウスクロールボタン操作を別の機構で行わなければならなかった。また、その操作機能を持つハードウェアが必要とされていた。
【０００４】
そこで、この発明は、従来のパソコンインターフェイスによるマウスポインター移動操作と上下・左右のウインドウスクロール操作を同一操作とし、ハード的なスイッチまたはソフト的な画面上のボタンなどの操作により切り替える事で操作性を向上させ、従来のパソコンインターフェイスの機構を簡素化する事を課題とする。
【課題を解決するための手段】
【０００５】
以上の課題を解決するために、請求項１の発明は、従来のパソコンインターフェイスによるマウスポインター移動操作を、ハード的なスイッチまたはソフト的な画面上のボタンなどの切り替え操作により、マウスポインター移動動作から、マウスポインターの移動を固定し上下・左右のウインドウスクロール動作へ切り替え、切り替え反転時は、上下・左右のウインドウスクロール動作から、マウスポインター移動動作へ切り替える事で操作性を向上させ、従来の上下・左右のウインドウスクロール動作信号機構を廃止し、マウスポインター移動動作信号機構と上下・左右のウインドウスクロール動作信号機構を同一の機構で操作する事で機構を簡素化させる事を特徴とするパソコンインターフェイスである。
【０００６】
また、請求項２の発明は、マウスポインター移動動作から上下・左右のウインドウスクロール動作へ切り替えた際に、上下・左右のウインドウスクロール動作の最良の動作スピードを設定するための動作信号の変速機能を、ハード的な機構またはソフト的な機能によりインターフェイスまたはパソコンに儲けた事を特徴とする請求項１記載のパソコンインターフェイスである。
【発明の効果】
【０００７】
以上説明したように、この発明によれば、従来の上下・左右のウインドウスクロール動作信号機構を廃止し、マウスポインター移動動作と上下・左右のウインドウスクロール動作を切り替え操作により同一の機構で操作する事で操作性を向上させ、機構を簡素化させた。
【０００８】
また、斜め方向にパソコンインターフェイスを操作する事により上下・左右のウインドウスクロール操作を同時に行う事が可能となる。
【発明を実施するための最良の形態】
【０００９】
この発明の一実施形態を、図１・２・３に示す。
１パソコンインターフェイスまたは、２パソコンの３切り替えスイッチを押下、または、切り替え操作する事により、８・１０のマウスポインター移動信号または１２・１４のマウスポインター動作と、９・１１のウインドウスクロール動作信号または１３・１５のウインドウスクロール動作を切り替え、４・６のマウスポインター移動信号機構からの信号で操作する。
【００１０】
「実施形態の効果」
この実施形態によれば、従来の５・７の上下・左右のウインドウスクロール動作信号機構を廃止し、４・６のマウスポインター移動信号機構で８・１０のマウスポインター移動信号または１２・１４のマウスポインター動作と、９・１１のウインドウスクロール動作信号または１３・１５のウインドウスクロール動作を操作する事により操作性を向上させ、機構を簡素化させた。
【００１１】
また、斜め方向に１パソコンインターフェイスを操作する事により１２・１４の上下・左右のウインドウスクロール操作を同時に行う事が可能となる。
【００１２】
「他の実施形態」
図１の実施形態では、１パソコンインターフェイスの３切り替えスイッチの操作による切り替え動作となっているが、図３の１６切り替え操作をパソコン本体の画面上の操作によるソフトウエア的な操作・動作による切り替え方法でも良い。
【００１３】
また、図面上は、４・６のマウスポインター移動信号機構を切り分けているがインターフェイスの構造上、単一の機構として信号を発生している形態の物も含む。
【図面の簡単な説明】
【００１４】
【図１】この発明の一実施形態を、ブロック図に示したものである。
【図２】この発明の一実施形態を、ブロック図に示したものである。
【図３】この発明の一実施形態を、ブロック図に示したものである。
【図４】従来技術を示すブロック図である。
【符号の説明】
【００１５】
１パソコンインターフェイス      ２パソコン
３切り替えスイッチ              ４上下ポインター信号機構
５上下スクロール信号機構        ６左右ポインター信号機構
７左右スクロール信号機構        ８上下ポインター信号
９上下スクロール信号          １０左右ポインター信号
１１左右スクロール信号          １２上下ポインター動作
１３上下スクロール動作          １４左右ポインター動作
１５左右スクロール動作          １６切り替え操作
１７変速機能
【図１】
2005339474.tif 000003
【図２】
2005339474.tif 000004
【図３】
2005339474.tif 000005
【図４】
2005339474.tif 000006